(57)【要約】【課題】  低コストで現場における寸法等の修正が容易であり、簡便、かつコンパクトに取り付けられる断熱性の屋根パネル、及び屋根材を提供する。【解決手段】  矩形状に形成された野地板１５０と、野地板の下面に取り付けられた断熱材２６０、２７０とを備えたユニット５００を複数具備し、垂木１２０ｅ〜１２０ｇによる枠組みに取り付けられる屋根パネルであって、断熱材は、上部に固定面２６２、２６３、２７２、２７３、及び溝が形成されており、固定面によって野地板の下面に取り付けられるとともに、溝と下面との間に通気洞２６１´、２７１´を形成する。【選択図】      図３（ｂ）
2005105532.tif 000002
【特許請求の範囲】
【請求項１】
矩形状に形成された野地板と、該野地板の下面に取り付けられた断熱材とを備えたユニットを複数具備し、垂木による枠組みに取り付けられる屋根パネルであって、
前記断熱材は、上部に固定面、及び溝が形成されており、前記固定面によって前記野地板の下面に取り付けられるとともに、前記溝と前記下面との間に通気洞が形成される、
ことを特徴とする屋根パネル。
【請求項２】
前記ユニットは、前記野地板の左右端部が側縁として突出されるよう形成されており、前記ユニットが前記屋根パネルとして配置されたとき、前記ユニット内に形成されている前記断熱材間の間隙、または２つ以上の前記ユニットを組み合わせることによって生じる前記側縁による前記断熱材間の間隙に、前記垂木が嵌合される、請求項１に記載の屋根パネル。
【請求項３】
矩形状に形成された野地板、及び該野地板の下面に取り付けられた断熱材を備えた複数のユニット、及び垂木を具備するとともに、前記複数のユニットは、前記垂木による枠組みに取り付けられて屋根パネルを形成する屋根材であって、
前記断熱材は、上部に固定面、及び溝が形成されており、前記固定面によって前記野地板の下面に取り付けられるとともに、前記溝と前記下面との間に通気洞が形成され、
前記ユニットは、前記野地板の左右端部が側縁として突出されるよう形成されており、前記ユニットが前記屋根パネルとして配置されたとき、前記ユニット内に形成されている前記断熱材間の間隙、または２つ以上の前記ユニットを組み合わせることによって生じる前記側縁による前記断熱材間の間隙に、前記垂木が嵌合される、
ことを特徴とする屋根材。
【請求項４】
矩形状に形成された野地板と、該野地板の下面に取り付けられた通気材と、該通気材のさらに下面に取り付けられた断熱材とを備えたユニットを複数具備し、垂木による枠組みに取り付けられる屋根パネルであって、
前記通気材は上部に固定面が形成されており、前記固定面によって前記野地板の下面に取り付けられ、
前記断熱材は、上部に固定面が形成されており、前記固定面によって前記通気材の下面に取り付けられている
ことを特徴とする屋根パネル。
【請求項５】
前記ユニットは、前記野地板の左右端部が側縁として突出されるよう形成されており、前記ユニットが前記屋根パネルとして配置されたとき、前記ユニット内に形成されている前記通気材、及び断熱材間の間隙、または２つ以上の前記ユニットを組み合わせることによって生じる前記側縁による前記通気材、及び断熱材間の間隙に、前記垂木が嵌合される、請求項４に記載の屋根パネル。
【請求項６】
矩形状に形成された野地板と、該野地板の下面に取り付けられた通気材、及び、該通気材のさらに下面に取り付けられた断熱材を備えた複数のユニット、及び垂木を具備するとともに、前記複数のユニットは、前記垂木による枠組みに取り付けられて、屋根パネルを形成する屋根材であって、
前記通気材は上部に固定面が形成されており、前記固定面によって前記野地板の下面に取り付けられ、前記断熱材は、上部に固定面が形成されており、前記固定面によって前記通気材の下面に取り付けられており、
前記ユニットは、前記野地板の左右端部が側縁として突出されるよう形成されており、前記ユニットが前記屋根パネルとして配置されたとき、前記ユニット内に形成されている前記通気材、及び断熱材間の間隙、または２つ以上の前記ユニットを組み合わせることによって生じる前記側縁による前記通気材、及び断熱材間の間隙に、前記垂木が嵌合される、
ことを特徴する屋根材。
【発明の詳細な説明】
【技術分野】
【０００１】
本発明は、通気層、及び断熱材が備えられた、屋根パネル、及び屋根材に関する。
【背景技術】
【０００２】
木造住宅等の建築において、屋根構造に通気性、及び断熱性を付与することが住環境面、及び屋根耐久性面等において望まれている。そのため、屋根パネルには、断熱材が充填／配設され、さらに断熱による結露等を防止するために、パネル上面と野地板との間に通気層が確保されるように垂木が挟み入れられた、屋根パネル構造が多用されている。通常、この種の屋根パネル構造は、垂木組み、断熱材の充填、通気洞の確保、野地板の載置、を施工現場において順々に行うことにより組み立てられてゆく。近年では、これらの現場での垂木や野地板の取り付け作業を簡略化し、効率をよくするために、屋根パネルは予め工場等で組み立てられ、建築現場へと搬送されている。
【０００３】
特許文献１には、枠材内に断熱材を充填し、枠材の上下両面をそれぞれ上板、及び下板で覆い、上板の上面に垂木を接合し、この垂木上に野地板を接合して野地板と上板との間に通気層を形成した一体ユニット構造の通気屋根パネルが開示されている。
【０００４】
図６に示すように、通気屋根パネル４００は、矩形状に形成した枠材４１０の内部にグラスウール等の断熱材４２０を充填し、枠材４１０の上下両面を合板等の上板４３０、及び下板４４０で覆い、上板４３０の上面に複数本の垂木４５０を並列して取り付け、さらにその上には野地板４６０を取り付けて、野地板４６０と上板４３０との間に通気層を形成した一体ユニット構造となっている。
【特許文献１】特開２００１−３５０７号公報
【発明の開示】
【発明が解決しようとする課題】
【０００５】
垂木は母屋梁とともに屋根の軸組をなす主要部材であり、厳密な設計が要求される。よって、建造物ごとに異なる屋根の寸法において、予め垂木の組み入れられた一体ユニット構造の屋根パネルに再加工が必要である場合、現場での屋根パネルの加工補修は困難であり、設計者等による割付け、設計が望まれる。
【０００６】
しかし、一体ユニット構造の屋根パネルにおいては、垂木以外の部材である断熱材、及び野地板等のみであれば加工は容易であるが、垂木の寸法が違う場合には、予め所定のサイズに加工された屋根パネルごと使用できなくなり、コストが嵩むという問題があった。さらに、垂木を取り換える際には屋根パネルごと撤収しなければならず、手間がかかるという問題もあった。
【０００７】
また、ユニット構造であるパネルの個々の部材は積層されており、パネル全体の厚さが嵩むという問題もあった。
【０００８】
そこで、本発明は、低コストで現場における寸法等の修正が容易であり、簡便、かつコンパクトに取り付けられる断熱性の屋根パネル、及び屋根材を提供することを課題とする。
【課題を解決するための手段】
【０００９】
以下、本発明について説明する。なお、本発明の理解を容易にするために添付図面の参照符号を括弧書きにて付記するが、それにより本発明が図示の形態に限定されるものではない。
【００１０】
請求項１の発明は、矩形状に形成された野地板（１５０）と、野地板の下面（１５１）に取り付けられた断熱材（２６０、２７０、２８０、２９０）とを備えたユニット（５００）を複数具備し、垂木（１２０ａ〜１２０ｘ）による枠組み（１３０）に取り付けられる屋根パネル（２５０）であって、断熱材は、上部に固定面（２６２、２６３、２７２、２７３）、及び溝（２６１、２７１、２８１、２９１）が形成されており、固定面によって野地板の下面に取り付けられるとともに、溝と下面との間に通気洞（２６１´、２７１´、２８１´、２９１´）が形成される、ことを特徴とする屋根パネルを提供して前記課題を解決する。
【００１１】
請求項１の発明にかかる屋根パネルは、野地板と、断熱材とが一体化された屋根パネルであるので、垂木の上にその屋根パネルを装着するだけで、通気洞を備えた断熱構造の屋根体とすることができる。また、屋根構造体である垂木は、屋根パネルと別体であるため、加工修正が自由にできる。さらに、屋根パネルも、屋根構造体に合わせて自由に加工することができる。
【００１２】
請求項２の発明は、請求項１の屋根パネル（２５０）において、ユニット（５００）は野地板（１５０）の左右端部が側縁（２６４、２７４）として突出されるよう形成されており、ユニットが屋根パネル（２５０）として配置されたとき、ユニット内に形成されている断熱材（２６０、２７０、２８０、２９０）間の間隙、または２つ以上のユニットを組み合わせることによって生じる側縁による断熱材間の間隙に、垂木（１２０ａ〜１２０ｘ）が嵌合されることを特徴とする。
【００１３】
請求項２の発明によれば、通気洞を備えた断熱材の間に垂木が嵌め入れられるため、屋根体の組み立て時において断熱材と垂木が積層されず、コンパクトな屋根体とすることができる。
【００１４】
請求項３の発明は、矩形状に形成された野地板（１５０）、及び野地板の下面（１５１）に取り付けられた断熱材（２６０、２７０、２８０、２９０）を備えた複数のユニット（５００）、及び垂木（１２０ａ〜１２０ｘ）を具備するとともに、複数のユニットは、垂木による枠組み（１３０）に取り付けられて、屋根パネル（２５０）を形成する屋根材（２００）であって、断熱材は、上部に固定面（２６２、２６３、２７２、２７３）、及び溝（２６１、２７１、２８１、２９１）が形成されており、固定面によって野地板の下面に取り付けられるとともに、溝と下面との間に通気洞（２６１´、２７１´、２８１´、２９１´）が形成され、ユニットは、野地板の左右端部が側縁（２６４、２７４）として突出されるよう形成されており、ユニットが屋根パネルとして配置されたとき、ユニット内に形成されている断熱材間の間隙、または２つ以上のユニットを組み合わせることによって生じる側縁による断熱材間の間隙に、垂木が嵌合される、ことを特徴とする屋根材を提供して前記課題を解決する。
【００１５】
請求項３の発明にかかる屋根材は、野地板と、断熱材とが一体化された屋根パネルが取り付けられている屋根材であるので、垂木の上に屋根パネルを装着するだけで、通気洞を備えた断熱構造の屋根材とすることすることができる。また、屋根構造体である垂木は、屋根パネルと別体であるため、加工修正が自由にできる。さらに、屋根パネルも、屋根構造体に合わせて自由に加工することができる。
【００１６】
請求項４の発明は、矩形状に形成された野地板（１５０）と、野地板の下面（１５１）に取り付けられた通気材（３００、３１０、３２０、３３０）と、該通気材のさらに下面に取り付けられた断熱材（２６０、２７０、２８０、２９０）とを備えたユニット（５５０）を複数具備し、垂木（１２０ａ〜１２０ｘ）による枠組み（１３０）に取り付けられる屋根パネル（２５０Ａ）であって、通気材は上部に固定面（３０１、３１１）が形成されており、固定面によって野地板の下面に取り付けられ、断熱材は、上部に固定面（２６５、２７５）が形成されており、固定面によって通気材の下面（３０２、３１２）に取り付けられていることを特徴とする屋根パネルを提供して前記課題を解決する。
【００１７】
請求項４の発明にかかる屋根材は、野地板、通気層、及び断熱材が一体化された屋根パネルであるので、垂木の上に屋根パネルを装着するだけで、通気層を備えた断熱構造の屋根体とすることすることができる。また、屋根構造体である垂木は、屋根パネルと別体であるため、加工修正が自由にできる。さらに、屋根パネルも、屋根構造体に合わせて自由に加工することができる。
【００１８】
請求項５の発明は、請求項４の屋根パネル（２５０Ａ）において、ユニット（５００）は、野地板（１５０）の左右端部が側縁（２６４、２７４）として突出されるよう形成されており、ユニットが屋根パネル（２５０）として配置されたとき、ユニット内に形成されている通気材（３００、３１０、３２０、３３０）、及び断熱材（２６０、２７０、２８０、２９０）間の間隙、または２つ以上のユニットを組み合わせることによって生じる、側縁による通気材、及び断熱材間の間隙に、垂木（１２０ａ〜１２０ｘ）が嵌合されることを特徴とする。
【００１９】
請求項５の発明によれば、一体化された通気層と断熱材との間に垂木が嵌め入れられるため、屋根体の組み立て時において通気層、及び断熱材と、垂木とが積層されず、コンパクトな屋根体とすることができる。
【００２０】
請求項６の発明は、矩形状に形成された野地板（１５０）と、野地板の下面（１５１）に取り付けられた通気材（３００、３１０、３２０、３３０）、及び、該通気材のさらに下面に取り付けられた断熱材（２６０、２７０、２８０、２９０）を備えた複数のユニット（５５０）、及び垂木（１２０ａ〜１２０ｘ）を具備するとともに、複数のユニットは、垂木による枠組み（１３０）に取り付けられて、屋根パネル（２５０Ａ）を形成する屋根材（２００）であって、通気材は上部に固定面（３０１、３１１）が形成されており、固定面によって野地板の下面に取り付けられ、断熱材は、上部に固定面（２６５、２７５）が形成されており、固定面によって通気材の下面（３０２、３１２）に取り付けられており、ユニットは、野地板の左右端部が側縁（２６４、２７４）として突出されるよう形成されており、ユニットが屋根パネルとして配置されたとき、ユニット内に形成されている通気材、及び断熱材間の間隙、または２つ以上のユニットを組み合わせることによって生じる側縁による通気材、及び断熱材間の間隙に、垂木が嵌合される、ことを特徴する屋根材を提供して前記課題を解決する。
【００２１】
請求項６の発明にかかる屋根材は、野地板と、通気層、及び断熱材とが一体化された屋根パネルが取り付けられている屋根材であり、垂木の上に屋根パネルを装着するだけで、通気層を備えた断熱構造の屋根材とすることすることができる。また、屋根構造体である垂木は、屋根パネルと別体であるため、加工修正が自由にできる。さらに、屋根パネルも、屋根構造体に合わせて自由に加工することができる。
【発明の効果】
【００２２】
請求項１の発明によれば、野地板と、断熱材とが一体化された屋根パネルが提供されるので、垂木の上に屋根パネルを装着するだけで、通気洞を備えた断熱構造の屋根体とすることができる。また、屋根構造体である垂木は、屋根パネルと別体であるため、加工修正が自由にできる。さらに、屋根パネルも、屋根構造体に合わせて自由に加工することができる。
【００２３】
また、請求項２の発明によれば、通気洞を備えた断熱材の間に垂木が嵌め入れられるため、屋根体の組み立て時において断熱材と垂木が積層されず、コンパクトな屋根体とすることができる。
【００２４】
また、請求項３の発明によれば、野地板と、断熱材とが一体化された屋根パネルが取り付けられている屋根材が提供されるので、垂木の上に屋根パネルを装着するだけで、通気洞を備えた断熱構造の屋根材とすることすることができる。また、屋根構造体である垂木は、屋根パネルと別体であるため、加工修正が自由にできる。さらに、屋根パネルも、屋根構造体に合わせて自由に加工することができる。
【００２５】
また、請求項４の発明によれば、野地板、通気層、及び断熱材が一体化された屋根パネルが提供されるので、垂木の上に屋根パネルを装着するだけで、通気層を備えた断熱構造の屋根体とすることすることができる。また、屋根構造体である垂木は、屋根パネルと別体であるため、加工修正が自由にできる。さらに、屋根パネルも、屋根構造体に合わせて自由に加工することができる。
【００２６】
また、請求項５の発明によれば、一体化された通気層と断熱材との間に垂木が嵌め入れられるため、屋根体の組み立て時において通気層、及び断熱材と、垂木とが積層されず、コンパクトな屋根体とすることができる。
【００２７】
さらに、請求項６の発明によれば、野地板と、通気層、及び断熱材とが一体化された屋根パネルが取り付けられている屋根材が提供されるので、垂木の上に屋根パネルを装着するだけで、通気層を備えた断熱構造の屋根材とすることすることができる。また、屋根構造体である垂木は、屋根パネルと別体であるため、加工修正が自由にできる。さらに、屋根パネルも、屋根構造体に合わせて自由に加工することができる。
【００２８】
本発明のこのような作用及び利得は、次に説明する発明を実施するための最良の形態から明らかにされる。
【発明を実施するための最良の形態】
【００２９】
以下本発明を図面に示す実施形態に基づき説明する。
【００３０】
図１は、本発明にかかる屋根材２００を備えた建築構造物１００を、上方向からみた斜視図である。また、構成部材の説明のために一部が分解図となっている。図示のように、柱１４１、１４２、１４３、及び１４４（柱１４３は図示せず。）に支えられている建築構造物１００の上部には、屋根材２００が形成されている。屋根材２００は、母屋梁１１０ａ〜１１０ｆの上にとりつけられた垂木１２０ａ〜１２０ｘからなる軸組１３０と、複数の野地板１５０によって形成されている屋根パネル２５０とによって構成されている。この母屋梁１１０、及び垂木１２０は木材からなり、所定の傾斜角度を保ちつつ、互いに直交する方向に所定間隔となるよう配設された格子形状をなしている。また、野地板１５０は、ＯＳＢ（オリエンテッド・ストランド・ボード）、もしくは構造用パネル、または合板等からなる矩形の板形状であり、所定の枚数を組み合わせて、軸組１３０の上部ほぼ全体を覆うように敷設されている。さらに、屋根材２００の最上部における支柱である棟木１４０が略最上部中央の位置に配設されている。図示は省略されているが、防水シート等を介して、瓦等が屋根材２００状面全体を覆うように葺かれている。
【００３１】
屋根材２００は断熱性の屋根パネル２５０によって屋根面が形成されており、図１においては現われていないが、上記屋根パネル２５０を構成する野地板１５０の下部には、通気構造を含めた断熱構造物が取り付けられている。本発明においては、この屋根パネル２５０に最大の特徴を備えている。以下にはその構造を、実施例をもとに詳細に説明する。
【００３２】
（実施例１）
図２は、図１の屋根材２００の部分拡大図である。母屋梁１１０ａ〜１１０ｃの上部に格子状となるように架け渡されている垂木１２０ｅ〜１２０ｈのさらに上部には、野地板１５０ａ、及び１５０ｂが載設されている。また、野地板１５０ａ、１５０ｂの下部には、野地板１５０ａ、及び１５０ｂと、垂木１２０ｅ〜１２０ｈとに挟持されるように、断熱材２６０〜２９０が配されている。また、断熱材２６０〜２９０には、上面に溝２６１〜２９１が形成されており、野地板１５０ａ、１５０ｂに上部を覆われることによって通気洞２６１´〜２９１´が形成されている。
【００３３】
この、野地板１５０ａ、１５０ｂ、及び断熱材２６０〜２９０とで構成された屋根パネル２５０は、長さ方向が上記屋根材２００の最頂部から、最も軒下側に位置する母屋梁１１０ｃを被覆するよう形成されており、垂木１２０ｅ〜１２０ｈの軒下側端部は屋根パネル２５０より軒先側に突出されている。
【００３４】
上記屋根パネル２５０は、例えば参照符号１５０ａにて示されている野地板一枚に対して、参照符号２６０及び２７０で示される二枚の断熱材とが組み合わされて構成される単ユニット５００を複数組み合わせたものであり、上記建築構造物１００の上部に母屋梁１１０ａ〜１１０ｆ、及び垂木１２０ａ〜１２０ｘが建て付けられたのち、垂木１２０ａ〜１２０ｘに挟持されるよう所定の方向に取り付けられている。
【００３５】
図３（ａ）には、図２に示した屋根パネル２５０の単ユニット５００（以下において「ユニット５００」とする。）を、矢印ｙ１方向からみた断面図を示す。また、図３（ｂ）には、ユニット５００、及び垂木１２０ｅ〜１２０ｇを、矢印ｙ１方向からみた断面図を示す。
【００３６】
図３（ａ）は、ユニット５００の断面図である。野地板１５０ａの下面１５１に接着されている断熱材２６０、及び２７０は、左右両端上部に固定面２６２、２６３、及び固定面２７２、２７３を備えている。固定面２６２、２６３、及び固定面２７２、２７３と、野地板１５０ａの下面１５１とは両面テープ等で固定されている。この断熱材２６０、及び２７０には、例えば発泡ウレタン等が用いられている。また、野地板１５０ａの下面１５１への固定には、接着剤、ビス、および釘等を使用することもできる。
【００３７】
野地板１５０ａの下面１５１には、上記の断熱材２６０、及び２７０が固定されている部位と、その他に装着面とが形成されている。図示の野地板１５０ａには、装着面は３箇所設けられている。すなわち、野地板１５０ａの左右端部に形成されている側縁２６４、２７４の下面側にそれぞれ備えられた装着面イ、及びハと、断熱材２６０、及び２７０の間に備えられた装着面ロ、である。装着面イとハは、装着面ロの略半分の幅となっており、図２に示した野地板１５０ｂ、及び断熱材２８０（及び断熱材２９０）が野地板１５０ａの右側に並べられ、また、図示されていないが、野地板１５０ａの左側に野地板、及び断熱材が並べて装着されると、装着面イとハは、隣接する野地板（１５０ｂ等）に形成された装着面の幅が足されることにより、装着面ロとほぼ同じ幅となる。
【００３８】
図３（ｂ）は、垂木１２０ｅ〜１２０ｇに、ユニット５００が組み込まれた様子を示す断面図である。ユニット５００は、予め上記建築構造物１００に取り付けられている垂木１２０ｅ〜１２０ｇの上面側に装着される。下記には、装着面ロ、及び垂木１２０ｆを例として説明するが、装着面イ、及びハについても隣接する野地板を並べた場合において同様の構成となる。
【００３９】
装着面ロの幅と、垂木１２０ｆとの幅は略同長であり、垂木１２０ｆは断熱材２６０、及び２７０との間に挟持されるよう取り付けられる。さらに、矢印ｙ２で示した断熱材２６０の高さは、矢印ｙ３で示した垂木１２０ｆの高さとほぼ同じ長さである。よって、屋根パネル２５０は、断熱材２６０と垂木１２０ｆとを積層させることなく、簡易な作業により垂木に組み付けることができ、かつ組み付けられた垂木と屋根パネルとでコンパクトな上記屋根材２００を構成することができる。
【００４０】
また、通気洞２６１´、２７１´が、断熱材２６０、及び２７０の表面２６０ａ、及び２７０ａに、固定面２６２、２６３、２７２、及び２７３を除いて一面に形成されている。そのため、通気性においても優れている。
【００４１】
このように、断熱材２６０と、断熱材２７０との間のスペースに垂木１２０ｆが隙間のないように嵌め込まれ、垂木の上面が野地板の下面に密着されるため、ユニット５００の構成がくずれることなく安定して保持される。従って、断熱性や気密性、及び通気性が常に良好に保たれる。
【００４２】
（実施例２）
図４は、図１の屋根材２００の部分拡大図であり、図２、３（ａ）、及び３（ｂ）に示される実施例１にかかる屋根パネル２５０とは異なる形態を備えた屋根パネル２５０Ａを表している。母屋梁１１０ａ〜１１０ｃの上部に格子状となるように架け渡されている垂木１２０ｅ〜１２０ｈのさらに上部には、野地板１５０ａ、及び１５０ｂが載設されている。また、野地板１５０ａ、１５０ｂの下部には、野地板１５０ａ、及び１５０ｂと、垂木１２０ｅ〜１２０ｈとに挟持されるように、断熱構造物である通気材３００〜３３０、及び断熱材２６０〜２９０が配されている。
【００４３】
この、野地板１５０ａ、１５０ｂ、通気材３００〜３３０、及び断熱材２６０〜２９０とで構成された屋根パネル２５０Ａは、長さ方向が上記屋根材２００の最頂部から、最も軒下側に位置する母屋梁１１０ｃを被覆するよう形成されており、垂木１２０ｅ〜１２０ｈの軒下側端部は屋根パネル２５０より軒先側に突出されている。
【００４４】
上記屋根パネル２５０Ａは、例えば参照符号１５０ａにて示されている野地板一枚に対して、参照符号３００、及び３１０で表される二枚の通気材と、この通気材３００、及び３１０の下面に取り付けられた、参照符号２６０、及び２７０で表される二枚の断熱材とが組み合わされて構成される単ユニット５５０を複数組み合わせたものである。この屋根パネル２５０Ａは、上記建築構造物１００の上部に母屋梁１１０ａ〜１１０ｆ、及び垂木１２０ａ〜１２０ｘが建て付けられたのち、垂木１２０ａ〜１２０ｘに挟持されるよう所定の方向に取り付けられている。
【００４５】
図５（ａ）には、図２に示した屋根パネル２５０Ａの単ユニット５５０（以下において「ユニット５５０」とする。）を、矢印ｙ４方向からみた断面図を示す。また、図５（ｂ）には、ユニット５５０、及び垂木１２０ｅ〜１２０ｇを、矢印ｙ４方向からみた断面図を示す。
【００４６】
図５（ａ）は、ユニット５５０の断面図である。野地板１５０ａの下部に、配置されている通気材３００、及び３１０は、上下面３０１、３０２、及び３１１、３１２が固定面となっている。固定面３０１、及び３１１には一面に接着剤が塗布されており、野地板１５０ａの下面１５１に接合されている。また、固定面３０２、及び３１２においても一面に接着剤が塗布されており、断熱材２６０、及び２７０の上面に形成された固定面２６５、及び２７５とそれぞれ接着されている。なお、通気材３００、及び３１０を野地板１５０ａの下部に固定する場合、および、断熱材２６０、及び２７０の上面に固定する場合には、上記の接着剤による固定だけではなく、両面テープ、ビス、および釘等を使用してもよい。
【００４７】
また、通気材３００、及び３１０には、長手方向に多数の孔が形成されており、通気可能な構造に形成されている。
【００４８】
野地板１５０ａの下面１５１には、通気材３００、３１０、及び断熱材２６０、２７０が固定されている部位と、その他に装着面とが形成されている。なお以下の説明において、図５（ａ）に示すように、通気材３００と断熱材２６０とが組み合わされた部材を断熱構造部材Ａとし、通気材３１０と断熱材２７０とが組み合わされた部材を断熱構造部材Ｂとする。
【００４９】
装着面は３箇所あり、野地板１５０の左右端部に形成されている側縁２６４、及び２７４の下面に備えられた装着面イ、及びハと、野地板１５０の下面であって、断熱材２６０、及び２７０の間に備えられた装着面ロ、とで構成されている。装着面イとハは、装着面ロの略半分の幅となっており、図４に示した野地板１５０ｂ、及び断熱材２８０（及び断熱材２９０）が野地板１５０ａの右側に並べられ、また、図示されていないが、野地板１５０ａの左側に野地板、及び断熱材が並べて装着されると、装着面イとハは、隣接する野地板（１５０ｂ等）に形成された装着面の幅が足されることにより、装着面ロとほぼ同じ幅となる。
【００５０】
図５（ｂ）は、垂木１２０ｅ〜１２０ｇに、ユニット５５０が組み付けられた様子を示す断面図である。ユニット５５０は、予め上記建築構造物１００に取り付けられている垂木１２０ｅ〜１２０ｇの上面側に装着される。下記には、装着面ロ、及び垂木１２０ｆを例として説明するが、装着面イ、及びハについても隣接する野地板を並べた場合において同様の構成となる。
【００５１】
装着面ロの幅と、垂木１２０ｆとの幅は略同長であり、垂木１２０ｆは断熱構造部材Ａ、及び断熱構造部材Ｂとの間に挟持されるよう取り付けられる。さらに、矢印ｙ５で示した断熱構造部材Ａ及びＢの高さは、矢印ｙ６で示した垂木１２０ｆの高さとほぼ同じ長さである。よって、屋根パネル２５０は、断熱材２６０と垂木１２０ｆとを積層させることなく、簡易な作業により垂木に組み付けることができ、かつ組み付けられた垂木と屋根パネルとでコンパクトな上記屋根材２００を構成することができる。
【００５２】
このように、断熱構造部材Ａ、及び断熱構造部材Ｂとのスペース間に垂木１２０ｆが隙間のないように嵌め込まれ、垂木の上面が野地板の下面に密着されるため、ユニット５５０がくずれることなく安定して保持されている。従って、断熱性や気密性、及び通気性が常に良好に保たれる。
【００５３】
上記の実施例１、及び２によれば、垂木１２０ａ〜１２０ｘと屋根パネル２５０とが分離されているため、建築構造物１００の建設現場には垂木１２０ａ〜１２０ｘと屋根パネル２５０、２５０Ａとを別体として搬入・搬出することができる。また、屋根パネル２５０、２５０Ａは加工が容易であるため、加工自在な形状で搬入し、厳密な設計が必要とされる垂木の修正加工に合わせて定型に切断することが可能となっており、材料費、加工作業の無駄を排除することができる。また、この構成によって、垂木が屋根パネル２５０、２５０Ａから独立されるため、垂木の取り扱いも容易であり、加工修正を簡便に行うことができる。
【００５４】
また、屋根パネル２５０、２５０Ａを含んで構成されている、屋根材２００は、垂木１２０ａ〜１２０ｘを、例えば建築構造物１００の壁を構成する、別の軸組としてもよく、屋根材２００に備えられた断熱、及び通気効果を、屋根以外の上記壁等の箇所にも利用することも可能である。
【００５５】
以上、現時点において、もっとも、実践的であり、かつ、好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴う屋根パネル、及び屋根材もまた本発明の技術的範囲に包含されるものとして理解されなければならない。
【図面の簡単な説明】
【００５６】
【図１】屋根構造体を備えた建築構造物を、上方向からみた斜視図である。
【図２】図１における、実施例１の屋根構造体の部分拡大図である。
【図３（ａ）】実施例１の、屋根パネルを構成するユニットを示す断面図である。
【図３（ｂ）】実施例１の、屋根パネルのユニットが、垂木に組み込まれた様子を示す断面図である。
【図４】図１における、実施例２の屋根構造体の部分拡大図である。
【図５（ａ）】実施例２の、屋根パネルを構成するユニットを示す断面図である。
【図５（ｂ）】実施例２の、屋根パネルのユニットが、垂木に組み込まれた様子を示す断面図である。
【図６】従来例を示す。
【符号の説明】
【００５７】
１２０ａ〜１２０ｘ  垂木
１１０ａ〜１１０ｆ  母屋梁
１３０  枠組み（軸組）
１５０  野地板
１５１  下面
２００  屋根材
２５０、２５０Ａ  屋根パネル
２６０  断熱材
２６１、２７１、２８１、２９１  溝
２６１´、２７１´、２８１´、２９１  通気洞
２６２、２６３  固定面
２６４、２７４  側縁
２６５、２７５  固定面
２７０  断熱材
２７２、２７３  固定面
２８０  断熱材
２９０  断熱材
３００、３１０、３２０、３３０  通気材
３０１、３１１  固定面
３０２、３１２  固定面
５００  ユニット
５５０  ユニット
【図１】
2005105532.tif 000003
【図２】
2005105532.tif 000004
【図３（ａ）】
2005105532.tif 000005
【図３（ｂ）】
2005105532.tif 000006
【図４】
2005105532.tif 000007
【図５（ａ）】
2005105532.tif 000008
【図５（ｂ）】
2005105532.tif 000009
【図６】
2005105532.tif 000010